【手続補正書】
【提出日】平成17年5月30日(2005.5.30)
【手続補正１】
【補正対象書類名】明細書
【補正対象項目名】特許請求の範囲
【補正方法】変更
【補正の内容】
【特許請求の範囲】
【請求項１】
撮像素子により撮像して得られた画像信号を処理する信号処理装置であって、
入力した画像信号に基づいて、第１の方式により第１の輝度信号を生成する第１の輝度信号生成手段と、
前記入力した画像信号に基づいて、第２の方式により第２の輝度信号を生成する第２の輝度信号生成手段と、
前記入力した画像信号に基づいて、当該画像信号が白黒画像を示すか、カラー画像を示すかを判別する判別手段と、
前記判別手段による判別結果に応じて、前記第１の輝度信号及び前記第２の輝度信号を混合する混合手段と
を有することを特徴とする信号処理装置。
【請求項２】
前記第１の方式はOutofGreen方式であり、前記第２の方式はSwitchY方式であって、前記混合手段は前記判別手段が白黒画像であると判別した場合に前記第２の輝度信号を出力し、カラー画像であると判別した場合に前記第１の輝度信号を出力することを特徴とする請求項１に記載の信号処理装置。
【請求項３】
前記判別手段は、白黒画像、カラー画像又はそれらの中間を示す信号を出力し、当該中間である場合、前記混合手段は出力された信号値に基づく割合で、前記第１の輝度信号及び前記第２の輝度信号を混合することを特徴とする請求項２に記載の信号処理装置。
【請求項４】
前記入力した画像信号に基づいて、当該画像信号が示す画像中の斜め線を示す部分を検出する検出手段を更に有し、
前記混合手段は、前記判別手段による判別結果及び前記検出手段による検出結果に応じて、前記第１の輝度信号及び前記第２の輝度信号を混合することを特徴とする請求項１に記載の信号処理装置。
【請求項５】
前記第１の方式はOutofGreen方式であり、前記第２の方式はSwitchY方式であって、前記混合手段は前記判別手段が白黒画像であると判別し、且つ前記検出手段が斜め線を検出した場合に前記第２の輝度信号を出力し、それ以外の場合に前記第１の輝度信号を出力することを特徴とする請求項４に記載の信号処理装置。
【請求項６】
前記判別手段は、白黒画像、カラー画像又はそれらの中間を示す信号を出力し、また、前記検出手段は、斜め線であることの確率を示す信号を出力し、各信号が中間値を示す場合、前記混合手段は出力された信号値に基づく割合で、前記第１の輝度信号及び前記第２の輝度信号を混合することを特徴とする請求項５に記載の信号処理装置。
【請求項７】
撮像素子により撮像して得られた画像信号を処理する信号処理装置であって、
入力した画像信号に基づいて、第１の方式により第１の輝度信号を生成する第１の輝度信号生成手段と、
前記入力した画像信号に基づいて、第２の方式により第２の輝度信号を生成する第２の輝度信号生成手段と、
前記入力した画像信号に基づいて、当該画像信号が示す画像中の斜め線を示す部分を検出する検出手段と、
前記検出手段による検出結果に応じて、前記第１の輝度信号及び前記第２の輝度信号を混合する混合手段と
を有することを特徴とする信号処理装置。
【請求項８】
前記第１の方式はOutofGreen方式であり、前記第２の方式はSwitchY方式であって、前記混合手段は前記検出手段が斜め線を検出した場合に前記第２の輝度信号を出力し、それ以外の場合に前記第１の輝度信号を出力することを特徴とする請求項７に記載の信号処理装置。
【請求項９】
前記検出手段は、斜め線であることの確率を示す信号を出力し、当該信号が中間値を示す場合、前記混合手段は出力された信号値に基づく割合で、前記第１の輝度信号及び前記第２の輝度信号を混合することを特徴とする請求項８に記載の信号処理装置。
【請求項１０】
前記判別手段は、前記入力した画像信号から彩度信号を生成し、当該彩度信号に基づいて判別を行うことを特徴とする請求項１乃至６のいずれかに記載の信号処理装置。
【請求項１１】
前記判別手段は、前記彩度信号に対して、最大値フィルタを適用する手段あるいは明るさで正規化する手段のうち少なくとも一つの手段を有することを特徴とする請求項１０に記載の信号処理装置。
【請求項１２】
前記検出手段は、斜め方向のエッジを抽出する少なくとも１つ以上のバンドパスフィルタまたはハイパスフィルタを有し、その出力結果に基づいて検出を行うことを特徴とする請求項４乃至７のいずれかに記載の信号処理装置。
【請求項１３】
前記検出手段は、斜め方向のエッジを抽出する少なくとも１つ以上のバンドパスフィルタまたはハイパスフィルタと、少なくとも１つ以上のローパスフィルタとを有し、その出力結果に基づいて検出を行うことを特徴とする請求項４乃至７のいずれかに記載の信号処理装置。
【請求項１４】
前記検出手段は、前記バンドパスフィルタあるいは前記ハイパスフィルタの出力結果を、明るさで正規化する手段あるいは最大値フィルタを適用する手段のうち少なくとも一つの手段を有することを特徴とする請求項１２または１３に記載の信号処理装置。
【請求項１５】
前記第１及び第２の輝度信号生成手段は、各色の構成比が異なる複数の輝度信号を作成することを特徴とする請求項１，４，又は７のいずれかに記載の信号処理装置。
【請求項１６】
前記撮像素子が原色ベイヤー配列のフィルタを有する撮像素子であり、前記第１及び第２の輝度信号生成手段のうちの少なくとも一方が、レッド信号、グリーン信号、ブルー信号の構成比を１対２対１とする輝度信号を作成することを特徴とする請求項１乃至１５のいずれかに記載の信号処理装置。
【請求項１７】
前記第１及び第２の輝度信号生成手段が、それぞれ複数のカラー信号をもとに高域強調信号を生成する手段を有することを特徴とする請求項１乃至１６のいずれかに記載の信号処理装置。
【請求項１８】
前記混合手段により混合された信号から高域強調信号を作成する高域強調信号作成手段を更に有することを特徴とする請求項１乃至１６のいずれかに記載の信号処理装置。
【請求項１９】
撮像素子により撮像して得られた画像信号を処理する信号処理方法であって、
入力した画像信号に基づいて、第１の方式により第１の輝度信号を生成する第１の輝度信号生成工程と、
前記入力した画像信号に基づいて、第２の方式により第２の輝度信号を生成する第２の輝度信号生成工程と、
前記入力した画像信号に基づいて、当該画像信号が白黒画像を示すか、カラー画像を示すかを判別する判別工程と、
前記判別工程における判別結果に応じて、前記第１の輝度信号及び前記第２の輝度信号を混合する混合工程と
を有することを特徴とする信号処理方法。
【請求項２０】
撮像素子により撮像して得られた画像信号を処理する信号処理方法であって、
入力した画像信号に基づいて、第１の方式により第１の輝度信号を生成する第１の輝度信号生成工程と、
前記入力した画像信号に基づいて、第２の方式により第２の輝度信号を生成する第２の輝度信号生成工程と、
前記入力した画像信号に基づいて、当該画像信号が示す画像中の斜め線を示す部分を検出する検出工程と、
前記検出工程における検出結果に応じて、前記第１の輝度信号及び前記第２の輝度信号を混合する混合工程と
を有することを特徴とする信号処理方法。
【請求項２１】
請求項１９または２０に記載の信号処理方法を実現するためのプログラムコードを有する情報処理装置が実行可能なプログラム。
【請求項２２】
請求項２１に記載のプログラムを記憶した記憶媒体。